(57)【特許請求の範囲】
【請求項１】
開封特徴部を有する、食料品用のパッケージであって、
一体に封止されて、食料品を受容するための内部を包囲する少なくとも前壁部及び後壁部を画定する、フィルムと、
前記前壁部にわたって横断して延在する前記前壁部の折りひだであって、前記折りひだは、折り線を中心に共に旋回されかつ折りひだの中の接着剤によって封止される上部折りひだ部分及び底部折りひだ部分を備えている、折りひだと、
前記フィルム内に形成されかつフラップを有する開封特徴部であって、前記フラップは、前記フィルムを部分的に貫通して延在する１つ又は２つ以上の切り込み線に沿って前記フィルムの残りの部分から少なくとも部分的に分離されて、前記食料品を取り出すための、前記内部に通じるアクセス開口部を形成する、開封特徴部と、
前記折りひだ内に延在する前記フラップの末端部分であって、前記フラップが前記切り込み線に沿って前記フィルムの前記残りの部分から分離された後、前記フラップを使用して前記開封特徴部を概ね再閉鎖するために、前記フラップの前記末端部分は、前記折りひだの前記接着剤から取り外し可能及び前記接着剤に当接して再閉鎖可能である、前記フラップの末端部分と、を備える、パッケージ。
【請求項２】
前記フラップの前記末端部分の少なくとも最下方セグメントが、貫通切れ目によって前記フィルムの前記残りの部分から分離されている、請求項１に記載のパッケージ。
【請求項３】
前記フラップは、一対の切り込み線に沿って前記フィルムから分離可能であり、前記一対の切り込み線のそれぞれが前記貫通切れ目の端部と交差する、請求項２に記載のパッケージ。
【請求項４】
前記貫通切れ目の前記端部が、前記折り線上に配設される、請求項３に記載のパッケージ。
【請求項５】
前記フラップの前記末端部分の前記最下方セグメントが、ユーザーによって把持されるように、前記折りひだから下向きに突出している、請求項４に記載のパッケージ。
【請求項６】
前記折りひだが、前記フラップの前記末端部分の少なくとも一部と位置合わせしている接着剤のない領域を有する、請求項２に記載のパッケージ。
【請求項７】
前記フィルムが側部シール部及び底部シール部に沿って一体に封止され、前記側部シール部及び前記底部シール部は、前記前壁部及び前記後壁部並びに上部折り畳み縁部と一緒になって、前記内部を包囲する、請求項１に記載のパッケージ。
【請求項８】
前記切り込み線が、前記上部折り畳み縁部を越えて後壁部分の上に延在している、請求項７に記載のパッケージ。
【請求項９】
前記一対の切り込み線がそれぞれ、前記貫通切れ目とのそれらの交差点の反対側に、曲線を成す端部を有する、請求項３に記載のパッケージ。
【請求項１０】
前記折りひだは、前記底部折りひだ部分が前記上部折りひだ部分の下にある状態で前記前壁部の下部に沿って延在するように折り畳まれ、前記底部折りひだ部分及び前記前壁部の前記下部がそれぞれ、側方外側にある開口部をその中に有し、前記開口部は、前記折りひだが前記下部に沿って延在するように折り畳まれたときに互いに位置が合わされ、これにより、前記上部折りひだ部分が前記開口部を介して前記後壁部に封止されるようになっている、請求項７に記載のパッケージ。
【請求項１１】
前記フラップが前記折りひだの前記接着剤及び前記側部シール部の前記接着剤に当接して再閉鎖可能であるように、前記切り込み線が、前記折りひだ内で外向きに、かつ前記側部シール部内で上向きに延在する、請求項７に記載のパッケージ。
【請求項１２】
前記切り込み線が、少なくとも部分的に、前記フィルムの側部シール部から離間した前記パッケージの前記前壁部にわたって延在する、請求項１に記載のパッケージ。
【請求項１３】
前記切り込み線が、互いから離れていくセグメントを有する、請求項１に記載のパッケージ。
【請求項１４】
壁部を有する食品パッケージのための開封特徴部であって、
前記壁部にわたって横断して延在する折りひだであって、前記折りひだは、折り線を中心に共に旋回されかつ接着剤によって封止される上部折りひだ部分及び底部折りひだ部分を備えている、折りひだと、
前記折りひだの前記上部折りひだ部分を貫通する切れ目と、
前記折り線から離れる方向に、かつ前記壁部の少なくとも一部にわたって長手方向に、前記切れ目の端部から延在する切り込み線と、
前記切れ目及び前記切り込み線によって、少なくとも一部が前記壁部内に形成されるフラップであって、前記フラップは、前記壁部を貫通する開口部を出現させるために、前記切り込み線を破断することによって前記壁部の残りの部分から分離されるように構成されている、フラップと、
前記折りひだの前記上部折りひだ部分内に少なくとも部分的に配設される前記フラップの末端部分であって、前記フラップが前記切り込み線に沿って前記壁部の前記残りの部分から分離された後に、前記開口部を覆って前記フラップを概ね再閉鎖するために、前記フラップの前記末端部分は、前記折りひだの前記接着剤から取り外し可能及び前記接着剤に当接して再閉鎖可能である、前記フラップの末端部分と、を備える、開封特徴部。
【請求項１５】
前記切れ目の前記端部が、前記折り線上に配設されている、請求項１４に記載のパッケージ。
【請求項１６】
前記切れ目が弓状であり、かつ前記フラップの前記末端部分の最下方セグメントを画定し、前記最下方セグメントは、ユーザーによって把持されるように、前記折り線から離れる方向に前記折りひだから下向きに突出している、請求項１５に記載のパッケージ。
【請求項１７】
前記折りひだが、前記フラップの前記末端部分の少なくとも一部と位置合わせしている接着剤のない領域を有する、請求項１４に記載のパッケージ。
【請求項１８】
前記切り込み線がそれぞれ、前記切れ目の端部の反対側に、曲線を成す端部を有する、請求項１４に記載のパッケージ。
【請求項１９】
前記切り込み線が、互いから離れていくセグメントを有する、請求項１４に記載のパッケージ。
【請求項２０】
前記フラップが前記折りひだの前記接着剤及び側部シール部の接着剤に当接して再閉鎖可能であるように、前記切り込み線が、前記食品パッケージの前記折りひだ内で外向きにかつ前記側部シール部内で長手方向に、前記切れ目の端部から延在する、請求項１４に記載のパッケージ。
【請求項２１】
開封特徴部を使用して再閉鎖可能な食品パッケージを開封し、食品製品を取り出し、かつ再閉鎖する方法であって、前記食品パッケージは、折り線を中心にして一緒に旋回され、かつ前記食品パッケージの壁部にわたって横断して延在する接着剤によって封止される上部折りひだ部分及び底部折りひだ部分を備える折りひだを有し、前記方法が、
前記壁部に形成された前記開封特徴部のフラップのタブを把持することであって、前記タブが少なくとも部分的に前記折りひだの前記上部折りひだ部分内に配設される、ことと、
前記壁部を部分的に貫通して延在する複数の切り込み線に沿って前記壁部の隣接部分から前記フラップを分離するために、前記フラップの前記タブを引っ張ることであって、前記タブを前記折りひだの前記上部折りひだ部分から切り離して前記接着剤を露出させて前記食品パッケージのアクセス開口部を形成すること、を含む、ことと、
前記食品パッケージの内部から前記アクセス開口部を介して食品製品を取り出すことと、
前記食品パッケージを再閉鎖するために、前記フラップの前記タブを前記折りひだの前記接着剤に再付着することと、を含む、方法。
【請求項２２】
前記タブを把持することが、前記折りひだの前記折り線を越えて突出している前記タブの最下部を把持することを含む、請求項２１に記載の方法。
【請求項２３】
前記タブを把持することが、前記タブの接着剤のない部分を把持することを含む、請求項２１に記載の方法。
【請求項２４】
前記食品パッケージが、接着剤で封止された側部シール部を更に有し、前記切り込み線が、前記折りひだの前記上部折りひだ部分内を外向きに、かつ前記側部シール部内を長手方向に延在し、
前記壁部の隣接部分から前記複数の切り込み線に沿って前記フラップを分離するために前記フラップの前記タブを引っ張ることが、前記フラップを切り離して、前記接着剤を露出させることにより、前記食品パッケージのアクセス開口部を形成することを含み、前記接着剤を露出させることは、前記タブを前記折りひだの前記上部折りひだ部分から切り離して前記接着剤を露出させることを含み、
前記食品パッケージを再閉鎖するために、前記フラップの前記タブを前記折りひだの前記接着剤に再付着することが、前記フラップを前記接着剤に再付着することを更に含む、請求項２１に記載の方法。
【請求項２５】
開封特徴部を有する、食料品用のパッケージであって、
第１の端部シール部、第２の端部シール部、及び前記第１の端部シール部と前記第２の端部シール部との間に延在する長手方向シール部によって一体に封止されて、食料品を受容するための内部を包囲する少なくとも前壁部分及び後壁部分を画定するフィルムと、
前記フィルムにわたって横断して延在するフラップの前記フィルム内に形成された開封特徴部であって、前記フラップは、前記フィルムの残りの部分から、前記フィルムを部分的に貫通して延在する切り込み線に沿って分離可能であり、前記切り込み線は、前記長手方向シール内に配置されている端部を有する、開封特徴部と、
前記パッケージの上部を除去するために前記フラップを引き剥がす際にユーザーが把持し、続いて、前記切り込み線を破断するための、前記長手方向シール部の縁部から外向きに延在する、前記フラップの末端部分と、を備える、パッケージ。
【請求項２６】
前記フラップの前記末端部分が、接着剤を有しない、請求項２５に記載のパッケージ。
【請求項２７】
前記切り込み線が、外向きに湾曲する部分を有する、請求項２５に記載のパッケージ。
【請求項２８】
前記フラップの前記末端部分が前記パッケージの側縁部と位置合わせしているか又は該側縁部を越えて延在するように、前記長手方向シール部が前記後壁部分に沿った中心からずれている、請求項２５に記載のパッケージ。
【発明の詳細な説明】
【技術分野】
【０００１】
本開示は、開封特徴部を有する食品パッケージに関し、特に、一体化された選択的に分離可能なフラップの形態の開封特徴部を有する食品パッケージに関する。
【背景技術】
【０００２】
運搬、保管中に食品製品を貯蔵するために、また、多食分又は多様な食品製品がパッケージ内に配置されている場合は、ユーザーが使い切るまで食品製品を貯蔵するために、パッケージ、例えば可撓性材料製のパッケージなどが一般的に使用される。一般的なタイプの従来のパッケージは、フィルム材のウェブから大量生産される。ウェブは、ウェブの長手方向縁部を一体に封止してフィンシール部を形成することによって、連続した管に形成される。次に、横断方向のシールを形成し、これら横断方向のシール領域内で管を横切って切断することによって、連続した管をより小さなパッケージに個片化することができる。食品製品は、所与の個別のパッケージの横断方向のシールの一方を形成した後で、かつ反対側の横断方向シールを形成する前に、管に挿入されることができる。代替方法として、フィンシール部を形成する前にウェブを食品製品の周囲に巻装させてもよい。
【０００３】
そのような従来のパッケージは、最初は、消費者が購入する前に、食品製品を密封された内部空洞内で貯蔵することができる。次に、消費者は、横断方向シールの一方を破断させて又はパッケージの角部を除去して、内部空洞及び食品製品にアクセスすることができる。これらの方策はいずれも、消費者がパッケージを開封するのに便利な方法を提供しない。更に、パッケージを不用意に開封すると、パッケージが部分的に又は完全に再利用に適さなくなる可能性があり、長い期間をかけて消費されるように意図されている多食分又は多様な食品製品をパッケージが収容している場合には不都合である。
【０００４】
最初に破断した後に生じる問題は、長い期間をかけて消費されるように意図されている多食分又は多様な食品製品をパッケージが収容している場合に、パッケージをどう効果的に再閉鎖するかである。前述のように、パッケージの不用意な開封は、パッケージを再利用に適さないものにし、したがって再閉鎖にも適さないものにする可能性がある。パッケージが再閉鎖特徴部を備えていない場合、一般的な方法では、食品製品の上方のヘッドスペースを低減しかつ破断したシールを閉じるように、パッケージの縁部を折り重ねる。次に、折り畳んだ材料の上にクリップを適用して、パッケージをこの閉鎖状態に保持することができる。しかしながら、この慣行はパッケージを十分に閉鎖しない場合が多く、消費者がクリップを有していない場合には、パッケージは折り畳みが開き、食品製品が完全に露出してしまう可能性がある。
【０００５】
これまでに提供された再閉鎖特徴部の一種は、パッケージの１つの縁部に沿ってジッパストリップを取り付けるものであった。パッケージの制御された開封及び再閉鎖をもたらすには概ね適しているが、ジッパストリップのせいでパッケージのコストが上昇するのは、特定の包装用途にとって望ましくない場合がある。
【発明の概要】
【課題を解決するための手段】
【０００６】
一体に封止され、食料品を受容するための内部を包囲する少なくとも前壁部及び後壁部を画定するフィルムからなる食料品用パッケージが、本明細書に記載される。パッケージは、その前壁部の折りひだ（pleat）を備え、該折りひだは前壁部にわたって横断して延在する。折りひだは、前壁部の第１及び第２の壁部分から形成され、これら第１及び第２の壁部分は折り線を中心に共に旋回されて接着剤によって封止される。パッケージは、フィルム内に形成された開封特徴部を更に備え、該開封特徴部はフラップを備えている。フラップは、フィルムを部分的に貫通して延在する１つ又は２つ以上の切り込み線に沿って、フィルムの残りの部分から少なくとも部分的に分離可能であり、食料品を取り出すための、パッケージの内部に通じるアクセス開口部を形成する。フラップはまた、折りひだ内へ延びる末端部分を有する。フラップが切り込み線に沿ってフィルムの残りの部分から分離された後、フラップを使用して開封特徴部を概ね再閉鎖するために、フラップの末端部分は、折りひだの接着剤から取り外し可能及びそれに当接して再閉鎖可能である。
【０００７】
フラップの末端部分の最下方セグメントは更に、貫通切れ目によってフィルムの残りの部分から分離され得る。次に、切り込み線は、貫通切れ目の端部と交わることができ、貫通切れ目の端部は折り線上に配設されることができ、末端部分の最下方セグメントは折りひだから下向きに突出することができ、折りひだは、フラップの末端部分と位置合わせしている接着剤のない領域を有することができる。
【０００８】
更なるアプローチでは、パッケージのフィルムは、側部シール部及び底部シール部に沿って一体に封止され得る。前壁部、後壁部、上部折り畳み縁部、側部シール部、及び底部シール部は、パッケージ内部を包囲する。この形態では、切り込み線は、上部折り畳み縁部を越えて後壁部分上まで延在してもよい。切り込み線はまた、貫通切れ目と反対向きの曲線を成す端部を有し得る。
【０００９】
折りひだは、第２の折りひだ部分が第１の折りひだ部分の下にある状態で前壁部の下部に沿って延在するように更に折り畳まれることができる。次に、第２の折りひだ部分及び前壁部の下部は、それぞれ、折りひだが前壁部の下部に沿って延在するように折り畳まれたときに互い位置合わせする、横方向外向きの開口部をその中に有することができる。そのような構成にすることで、第１の折りひだ部分は、開口部を介して後壁部に封止されることができる。
【００１０】
１つのアプローチによれば、切り込み線は、パッケージの面にわたって、切れ目から離れる方向に延在し得る。この形態の切り込み線は、次にパッケージを形づくる際に気密シールを形成することができるように、パッケージ材料を貫通して部分的にだけ延在するように構成され得る。別のアプローチによれば、切り込み線は、シールゾーンの接着剤を再閉鎖のために使用できるように、その後のパッケージの１つ又は２つ以上のシールゾーン内に配設され得る。一実施例において、切り込み線は、折りひだシールゾーン及び側部シール部がオーバーラップするまで折りひだシールゾーン内を切れ目から離れる方向に延出した後、側部シール部内を上向きに延出してもよい。必要に応じて、切り込み線は、側部シール部内をパッケージの後面上まで延在してもよい。このような構成であることから、フラップの縁部全体は、対応のシールゾーンの接着剤に当接して再密封され得る。
【００１１】
別の形態では、食品パッケージ用の開封特徴部が記載される。食品パッケージは少なくとも壁部を備える。折りひだは、壁部にわたって横断して延在し、かつ第１の壁部分と第２の壁部分とを備えている。第１及び第２の壁部分は、折り線を中心に共に旋回されて、接着剤によって封止されることができる。開封特徴部は、折りひだの第１の壁部分を貫通する切れ目と、切れ目の端部から、折り線から離れる方向に、壁部の少なくとも一部にわたって長手方向に延在する切り込み線とを備えている。切れ目及び切り込み線は、少なくとも部分的に壁部内に配設されるフラップを形成する。フラップは、壁部を貫通する開口部を出現させるために、切り込み線を破断することによって壁部の残りの部分から分離されるように構成されている。開封特徴部は、折りひだの第１の壁部分内に少なくとも部分的に配設されるフラップの末端部分を更に備えることができる。その結果、フラップが切り込み線に沿ってフィルムの残りの部分から分離された後にフラップを概ね再閉鎖して開口部を覆うために、フラップの末端部分は、折りひだの接着剤から取り外し可能及びそれに当接して再閉鎖可能であり得る。
【００１２】
貫通切れ目の端部は、更に、折り線上に配設されてもよい。更なるアプローチでは、切れ目は弓状であってもよく、これにより、フラップの末端部分の最下方セグメントは、ユーザーによって把持されるように、折り線から離れる方向に折りひだから下向きに突出するようになっている。
【００１３】
更なる形態では、開封特徴部を使用して再閉鎖可能な食品パッケージを開封し、食品製品を取り出し、該パッケージを再閉鎖するための方法が記載される。パッケージ、及びその中の開封特徴部は、上記した形態であり得る。方法は、壁部に形成された開封特徴部のフラップのタブを把持ことであって、タブは少なくとも部分的に折りひだの第１の壁部分内に配設される、こと、を含み得る。１つのアプローチによれば、タブを把持ことは、折りひだの折り線を越えて突出しているタブの最下部を把持ことを含み得る。別のアプローチによれば、タブを把持ことは、タブの接着剤のない部分を把持ことを含み得る。次に、壁部の隣接部分から、壁部を部分的に貫通して延在する複数の切り込み線に沿ってフラップを分離するために、フラップのタブを引っ張り、例えば、タブを折りひだの第１の壁部分から切り離して接着剤を露出させ、食品製品パッケージのアクセス開口部を形成することができる。開封した後、食品パッケージの内部からアクセス開口部を介して食品製品を取り出すことができる。次に、フラップのタブを折りひだの接着剤に再付着させて、食品パッケージを再閉鎖することができる。
【００１４】
パッケージを横切って延在するストリップを有する開封特徴部を備える別のパッケージが記載される。開封特徴部を使用して、例えば、パッケージの端部を取り外すことができる。ストリップは、切れ目によってパッケージのシール内に形成されたタブ部分を備えることができる。かかるパッケージを形成することにより、有利には、シール部の端縁部からタブが外向きに突出するので、ユーザーはタブを容易に把持ことができる。
本発明は、例えば、以下を提供する。
（項目１）
開封特徴部を有する、食料品用のパッケージであって、
一体に封止されて、食料品を受容するための内部を包囲する少なくとも前壁部及び後壁部を画定する、フィルムと、
前記前壁部にわたって横断して延在する前記前壁部の折りひだであって、折り線を中心に共に旋回されかつ折りひだの中の接着剤によって封止される、前記前壁部の第１の壁部分と第２の壁部分とを備えている、折りひだと、
前記フィルム内に形成されかつフラップを有する開封特徴部であって、前記フラップは、前記フィルムを部分的に貫通して延在する１つ又は２つ以上の切り込み線に沿って前記フィルムの残りの部分から少なくとも部分的に分離されて、前記食料品を取り出すための、前記内部に通じるアクセス開口部を形成する、開封特徴部と、
前記折りひだ内に延在する前記フラップの末端部分であって、前記フラップが前記切り込み線に沿って前記フィルムの前記残りの部分から分離された後、前記フラップを使用して前記開封特徴部を概ね再閉鎖するために、前記フラップの前記末端部分は、前記折りひだの前記接着剤から取り外し可能及び前記接着剤に当接して再閉鎖可能である、前記フラップの末端部分と、を備える、パッケージ。
（項目２）
前記フラップの前記末端部分の少なくとも最下方セグメントが、貫通切れ目によって前記フィルムの前記残りの部分から分離されている、項目１に記載のパッケージ。
（項目３）
前記フラップは、一対の切り込み線に沿って前記フィルムから分離可能であり、前記一対の切り込み線のそれぞれが前記貫通切れ目の端部と交差する、項目２に記載のパッケージ。
（項目４）
前記貫通切れ目の前記端部が、前記折り線上に配設される、項目３に記載のパッケージ。
（項目５）
前記フラップの前記末端部分の前記最下方セグメントが、ユーザーによって把持されるように、前記折りひだから下向きに突出している、項目４に記載のパッケージ。
（項目６）
前記折りひだが、前記フラップの前記末端部分の少なくとも一部と位置合わせしている接着剤のない領域を有する、項目２に記載のパッケージ。
（項目７）
前記フィルムが側部シール部及び底部シール部に沿って一体に封止され、前記側部シール部及び前記底部シール部は、前記前壁部及び前記後壁部並びに上部折り畳み縁部と一緒になって、前記内部を包囲する、項目１に記載のパッケージ。
（項目８）
前記切り込み線が、前記上部折り畳み縁部を越えて後壁部分の上に延在している、項目７に記載のパッケージ。
（項目９）
前記一対の切り込み線がそれぞれ、前記貫通切れ目とのそれらの交差点の反対側に、曲線を成す端部を有する、項目７に記載のパッケージ。
（項目１０）
前記折りひだは、前記第２の折りひだ部分が前記第１の折りひだ部分の下にある状態で前記前壁部の下部に沿って延在するように折り畳まれ、前記第２の折りひだ部分及び前記前壁部の前記下部がそれぞれ、側方外側にある開口部をその中に有し、前記開口部は、前記折りひだが前記下部に沿って延在するように折り畳まれたときに互いに位置が合わされ、これにより、前記第１の折りひだ部分が前記開口部を介して前記後壁部に封止されるようになっている、項目７に記載のパッケージ。
（項目１１）
前記フラップが前記折りひだの前記接着剤及び前記側部シール部の前記接着剤に当接して再閉鎖可能であるように、前記切り込み線が、前記折りひだ内で外向きに、かつ前記側部シール部内で上向きに延在する、項目７に記載のパッケージ。
（項目１２）
前記切り込み線が、少なくとも部分的に、前記フィルムの封止部から離間した前記パッケージの前記前壁部にわたって延在する、項目１に記載のパッケージ。
（項目１３）
前記切り込み線が、互いから離れていくセグメントを有する、項目１に記載のパッケージ。
（項目１４）
壁部を有する食品パッケージのための開封特徴部であって、
前記壁部にわたって横断して延在する折りひだであって、折り線を中心に共に旋回されかつ接着剤によって封止される第１の壁部分と第２の壁部分とを備えている、折りひだと、
前記折りひだの前記第１の壁部分を貫通する切れ目と、
前記折り線から離れる方向に、かつ前記壁部の少なくとも一部にわたって長手方向に、前記切れ目の端部から延在する切り込み線と、
前記切れ目及び前記切り込み線によって、少なくとも一部が前記壁部内に形成されるフラップであって、前記フラップは、前記壁部を貫通する開口部を出現させるために、前記切り込み線を破断することによって前記壁部の残りの部分から分離されるように構成されている、フラップと、
前記折りひだの前記第１の壁部分内に少なくとも部分的に配設される前記フラップの末端部分であって、前記フラップが前記切り込み線に沿って前記フィルムの前記残りの部分から分離された後に、前記開口部を覆って前記フラップを概ね再閉鎖するために、前記フラップの前記末端部分は、前記折りひだの前記接着剤から取り外し可能及び前記接着剤に当接して再閉鎖可能である、前記フラップの末端部分と、を備える、開封特徴部。
（項目１５）
前記貫通切れ目の前記端部が、前記折り線上に配設されている、項目１４に記載のパッケージ。
（項目１６）
前記切れ目が弓状であり、かつ前記フラップの前記末端部分の最下方セグメントを画定し、前記最下方セグメントは、ユーザーによって把持されるように、前記折り線から離れる方向に前記折りひだから下向きに突出している、項目１５に記載のパッケージ。
（項目１７）
前記折りひだが、前記フラップの前記末端部分の少なくとも一部と位置合わせしている接着剤のない領域を有する、項目１４に記載のパッケージ。
（項目１８）
前記切り込み線がそれぞれ、前記切れ目の端部の反対側に、曲線を成す端部を有する、項目１４に記載のパッケージ。
（項目１９）
前記切り込み線が、互いから離れていくセグメントを有する、項目１４に記載のパッケージ。
（項目２０）
前記フラップが前記折りひだの前記接着剤及び前記側部シール部の前記接着剤に当接して再閉鎖可能であるように、前記切り込み線が、前記食品パッケージの前記折りひだ内で外向きにかつ前記側部シール部内で長手方向に、前記切れ目の端部から延在する、項目１４に記載のパッケージ。
（項目２１）
開封特徴部を使用して再閉鎖可能な食品パッケージを開封し、食品製品を取り出し、かつ再閉鎖する方法であって、前記食品パッケージは、折り線を中心にして一緒に旋回され、かつ前記食品パッケージの壁部にわたって横断して延在する接着剤によって封止される、第１の壁部分及び第２の壁部分を備える折りひだを有し、前記方法が、
前記壁部に形成された前記開封特徴部のフラップのタブを把持することであって、前記タブが少なくとも部分的に前記折りひだの前記第１の壁部分内に配設される、前記フラップのタブを把持することと、
前記壁部の隣接部分から前記壁部を部分的に貫通して延在する複数の切り込み線に沿って前記フラップを分離するために、前記フラップの前記タブを引っ張ることであって、前記タブを前記折りひだの前記第１の壁部分から切り離して前記接着剤を露出させて前記食品パッケージのアクセス開口部を形成すること、を含む、前記タブを引っ張ることと、
前記食品パッケージの内部から前記アクセス開口部を介して食品製品を取り出すことと、
前記食品パッケージを再閉鎖するために、前記フラップの前記タブを前記折りひだの前記接着剤に再付着することと、を含む、方法。
（項目２２）
前記タブを把持することが、前記折りひだの前記折り線を越えて突出している前記タブの最下部を把持することを含む、項目２１に記載の方法。
（項目２３）
前記タブを把持することが、前記タブの接着剤のない部分を把持することを含む、項目２１に記載の方法。
（項目２４）
前記食品パッケージが、接着剤で封止された側部シール部を更に有し、前記切り込み線が、前記折りひだの前記第１の壁部分内を外向きに、かつ前記側部シール部内を長手方向に延在し、
前記壁部の隣接部分から前記複数の切り込み線に沿って前記フラップを分離するために前記フラップの前記タブを引っ張ることが、前記フラップを前記側部シール部から切り離して、前記壁部を部分的に貫通して延在する前記接着剤を露出させることにより、前記食品パッケージのアクセス開口部を形成することを含み、前記フラップを前記側部シール部から切り離して、前記壁部を部分的に貫通して延在する前記接着剤を露出させることは、前記タブを前記折りひだの前記第１の壁部分から切り離して前記接着剤を露出させることを含み、
前記食品パッケージを再閉鎖するために、前記フラップの前記タブを前記折りひだの前記接着剤に再付着することが、前記フラップを前記側部シール部の前記接着剤に再付着することを更に含む、項目２１に記載の方法。
（項目２５）
開封特徴部を有する、食料品用のパッケージであって、
第１の端部シール部、第２の端部シール部、及び前記第１の端部シール部と前記第２の端部シール部との間に延在する長手方向シール部によって一体に封止されて、食料品を受容するための内部を包囲する少なくとも前壁部分及び後壁部分を画定するフィルムと、
前記フィルムにわたって横断して延在する取り外し可能部分の前記フィルム内に形成された開封特徴部であって、前記開封特徴部の第１の端部及び第２の端部は前記長手方向シール部内に配設されており、前記取り外し可能部分は、前記フィルムの残りの部分から、前記フィルムを部分的に貫通して延在する切り込み線に沿って分離可能である、開封特徴部と、
前記パッケージの上部を除去するために前記取り外し可能部分を引き剥がす際にユーザーが把持し、続いて、前記切り込み線を破断するための、前記長手方向シール部の縁部から外向きに延在する、前記取り外し可能部分の前記第１の端部の末端部分と、を備える、パッケージ。
（項目２６）
前記取り外し可能部分の前記第１の端部の前記末端部分が、前記フィルムを貫通する貫通切れ目、及び折り線を備える前記長手方向シール部の前記縁部によって画定され、前記フィルムの長手方向縁部部分は前記貫通切れ目に隣接するように折り返され、これにより、前記末端部分が前記折り線から外向きに突出するようになっている、項目２５に記載のパッケージ。
（項目２７）
前記取り外し可能部分の前記第１の端部の前記末端部分が、接着剤を有しない、項目２５に記載のパッケージ。
（項目２８）
前記切り込み線が、外向きに湾曲する部分を有する、項目２５に記載のパッケージ。
（項目２９）
前記第１の端部の前記末端部分が前記パッケージの側縁部と位置合わせしているか又は該側縁部を越えて延在するように、前記長手方向シール部が前記後壁部分に沿った中心からずれている、項目２５に記載のパッケージ。
【図面の簡単な説明】
【００１５】
【図１】パッケージを横切って延在する封止された折りひだと、パッケージ内に画定された開封特徴部とを有するパッケージの斜視図であり、開封特徴部は閉鎖位置で示されている。
【００１６】
【図２】開放位置にある開封特徴部を示す、図１のパッケージの斜視図である。
【００１７】
【図３】開封特徴部及び封止領域を示す、図１のパッケージ用のブランクの平面図である。
【００１８】
【図４】封止のために折り畳まれた、図３のブランクの斜視図である。
【００１９】
【図５】パッケージを形成するためのブランクの第２の実施形態の斜視図である。
【００２０】
【図６】図５のブランクの平面図である。
【００２１】
【図７】パッケージを横切って延在する封止された折りひだと、パッケージ内に画定された開封特徴部とを有するパッケージの前側斜視図であり、開封特徴部は閉鎖位置で示されている。
【００２２】
【図８】開放位置にある開封特徴部を示す、図７のパッケージの斜視図である。
【００２３】
【図９】開封特徴部及び封止領域を示す、図１のパッケージ用のブランクの平面図である。
【００２４】
【図１０】パッケージを形成する場合のフローチャートである。
【００２５】
【図１１】パッケージ内に画定された開封特徴部を有するパッケージの部分透視図であり、開封特徴部は閉鎖位置で示されている。
【００２６】
【図１２】部分的開放位置にある開封特徴部を示す、図１１のパッケージの部分斜視図である。
【００２７】
【図１３】パッケージのフィンシール部内の開封特徴部の切れ目及びタブを示す、図１１のパッケージの断面図である。
【００２８】
【図１４】中心を外れたフィンシール部内の開封特徴部を示す、代替パッケージの断面図である。
【００２９】
【図１５】その中に画定された開封特徴部を示す、図１１のパッケージ用のブランクの平面図である。
【００３０】
【図１６】開封特徴部のタブがパッケージの縁部を越えて突出するように折り重ねられている縁部部分を示す、図１５のブランクの平面図である。
【発明を実施するための形態】
【００３１】
食品パッケージ、ブランク、及び開封特徴部を使用する制御された開封方法の様々な実施形態が、本明細書に記載され、図１〜図１０に例示される。
【００３２】
パッケージのフィルムに形成された切れ目及び切り込み線によって画定された再閉鎖可能なフラップを有するパッケージが、本明細書に記載される。フラップは、少なくとも部分的に、剥がされてパッケージの内部に通じる開口部を露出させることになるパッケージの前壁部分内にある。本明細書に記載されるパッケージは、有利には、フラップの掴み部の少なくとも一部を含む、パッケージの前壁部分を横切って延在する封止された折りひだ備える。パッケージを開封するためにフラップを剥がす際に掴み部を取り外すことによって、折りひだの内側上の、パッケージを再閉鎖するための接着剤が露出される。
【００３３】
フラップは、パッケージと一体であり、かつ、例えばパッケージを部分的に貫通して延在する１つ又は２つ以上の切り込み線若しくはスクライブ線、貫通切れ目、パッケージのサイドシーム、又はこれらの組み合わせに沿って、制御された方法でパッケージの残りの部分から分離可能である。これにより、制御された方法でパッケージを開封することが容易になり、意図する開封経路からの逸脱が、たとえあったとしても、わずかとなる。切り込み線は、完全にではなく部分的にパッケージを貫通して延在しているので、パッケージの完全性は損なわれない。更に、フラップが、パッケージの完全性を損なうことなく折りひだ内のフィルム内の貫通切れ目によって少なくとも部分的に画定され得るように、折りひだは、有利には、パッケージの内部から封鎖されることができる。
【００３４】
パッケージのブランクは、その外縁に沿って、及び上述した折りひだを形成するための、端部の中間の横断方向ストリップに沿って封止される。フラップの掴み部は、これらの横断方向ストリップ内へ延び、端部切れ目によって画定されることができ、これにより、折りひだが折り畳まれたときに、端部切れ目によって画定された掴み部の端部は、ユーザーが把持やすいように折り目から外向きに突出する。
【００３５】
図１〜図６に示すように、再閉鎖可能パッケージ１０の第１の実施形態が本明細書に記載され、該パッケージは、食料品又は他のパッケージ内容物が該パッケージから逐次取り出される間、ユーザーがパッケージ１０を繰り返し開封及び再閉鎖するのを可能にするように構成されている。パッケージ１０は、より大きなフィルムのロール物から個片化され得るフィルム１２のウェブから作られる。パッケージ１０は、食品製品などのパッケージ内容物２６のための密閉された内部２４を形成する底部シール部１８、側部シール部２０、及び上部折り畳み縁部２２に縁取られた前壁部分１４と後壁部分１６とを備える。
【００３６】
図１〜図６に示されるパッケージ１０の独自の特徴は、パッケージの前壁部１４にわたって横断して延在する折りひだ又は折り畳み領域２８である。折りひだ２８は、折りひだ２８を形成するために一体に封止される、上部及び底部折りひだ部分３０、３２を含む。より詳細には、底部折りひだ部分３２は、上部折りひだ部分３０と底部折りひだ部分３２とを分離する上部折り線３４を中心に内向きに旋回され、これにより、底部折りひだ部分３２は上部折りひだ部分３０の後側に延在することになる。底部折り線３６は、前壁部１４の残りの下部３７から底部折りひだ部分３２を分離して、折りひだ２８がパッケージの前壁部１４上で概ね平坦になるようにする。
【００３７】
パッケージ１０の更なる詳細が、パッケージ１０を作るためのブランク３８を示す図３に示されている。ブランク３８は、長手方向側縁部４０と横断方向端縁部４２とを備える。ブランク３８は、パッケージ１０の形成中にウェブ１２が封止される場所を示す封止領域４４と共に示されている。封止領域４４は、側縁部４０に沿って又は隣接して延在し、パッケージ１０の側部シール部２０を形成する長手方向縁部部分４６を含む。封止領域４４は、端縁部４２に沿って又は隣接して延在し、パッケージ１０の底部シール部１８を形成する横断方向縁部部分４８を更に含む。
【００３８】
図３に示すように、封止領域４４はまた、ブランク３８を横切って横断方向縁部シール部分４８の中間に延在する折り目又は折りひだ封止領域５０を含む。横断方向に延在する上部折り目３４は、折り畳み封止領域３０を半分に折り畳んで折りひだ２８を形成することができるように、折り畳み封止領域５０を二分する。底部折り線３６は、折り畳み封止領域５０の底部に沿ってブランク１４を横切って延在し、これにより、折りひだ２８は、パッケージの前壁部１４に隣接して位置するように下向きに折り畳まれることができるようになっている。
【００３９】
パッケージ１０は、その中に形成された開封特徴部５２を更に備えている。開封特徴部５２は、ウェブ１２に形成され、ユーザーが掴むための末端部分５６を有するフラップ５４を備えている。１つのアプローチによれば、末端部分は掴み用タブ又は掴み部分５６であり得る。フラップ５４は、パッケージ内部２４に通じる開口部５８を出現させるために、ウェブ１２から分離され、引き戻されるように構成されている。より詳細には、開封特徴部５２は、切れ目と切り込み線の組み合わせによって画定される。切れ目６０は、完全に折り畳み封止領域５０内に設けられ、掴み用タブ５６の最下部又は先端部６１を画定する。切り込み線６４は、切れ目６０の各端部６２から上部折りひだ部分３０を通り、前壁部１４の残りの部分にわたって延在する。図３に示すように、折りひだ封止領域５０は、掴み用タブ５６の端部６７に対応する接着剤のない領域６５を有することができ、これにより、ユーザーがパッケージ１０を開封するためにタブを把持したときに、掴み用タブ５６の端部６７がべとつかないようになっている。例示した形態では、接着剤のない領域６５は、掴み用タブ５６の最下部６１、並びに上部折り線３４を隔てた概ね鏡映の部分６９を含む。しかしながら、所望の場合には、接着剤のない領域６５は最下部６１に限定されてもよく、又は、所望の場合には、掴み用タブ５６の更に下方に広がっていてもよい。
【００４０】
所望の場合には、切り込み線６４は、前壁部１４を通り、上部折り畳み縁部２２を越えて後壁部分１６上まで延在することができる。更に、切り込み線６４の端部６６は、図のような牧杖又は他の好適な特徴部のような引き裂き制限特徴部を有することができる。切れ目６０及び切り込み線６４は、パッケージ１０を作る前に、例えば、レーザー、ロータリーダイ、又はダイなどの任意の好適な機構によって形成され得る。
【００４１】
１つのアプローチによれば、切れ目６０は弓状であり、その端部６２が上部折り線３４上に又はこれに隣接して位置付けられるように折り畳み封止領域５０内に位置付けられる。上述したように、切り込み線６４は、切れ目６０の端部６２から延びる。例示した形態では、切り込み線６４は、切れ目端部６２から側縁部４０に略平行に長手方向に延在する第１のセグメント６８を含む。切れ目６０及び第１のセグメント６８の少なくとも一部は、組み合わされて掴み用タブ５６を形成する。第１のセグメント６８は、切れ目６０から約３ｍｍ〜約１５ｍｍの長さにわたって延在する。一実施形態では、各第１のセグメント６８は、折り畳み封止領域５０の接着部を通って開口方向に互いに略平行であり、切り込み線６４から逸脱し望ましくない引き裂きを最小限に抑える確実な開封性能を提供する。切り込み線６４は、第１のセグメント６８の端部７２から切れ目端部６２と反対側に延在する第２のセグメント７０を更に含む。図に示されるように、第２のセグメント７０は、パッケージ内容物２６の寸法に対応できるようにフラップの幅を広くするために、側縁部４０に向かって互いに外向きにテーパ付けされることができる。第３のセグメント７４は、第２のセグメント７０の端部７６から、側縁部４０に略平行に長手方向に延在し、切り込み線端部６６につながる。第３のセグメント７４同士の間の距離は、パッケージ１０内の個々の内容物２６の全てを取り出すのを容易にするのにほぼ十分である幅を有することができるか、又は、該セグメントを介した取り出しを可能にするために、より幅広の内容物の幅に近くてもよい。例えば、この後者の場合、約８７ｍｍ（約３．４インチ）の幅を有する食料品用では、第３のセグメント７４同士の間の距離は約８５ｍｍ（約３．３５インチ）であり得る。
【００４２】
図示するように、切れ目６０及び切り込み線６４は、パッケージの完全性（例えば、実質的な気密シールなど）を保つように構成される。切れ目６０は、パッケージ１０の封止領域の外側である折りひだ２８内に設けられる。切り込み線６４は、開封特徴部５２の残りの部分を形成し、ウェブ１２を完全に貫通しないので、パッケージ１０内の気密シールは保たれる。
【００４３】
切り込み線６４は、パッケージフィルム又は積層体の厚さの約２０％〜約９０％、約４０％〜８０％、約６０％〜約８０％、約６５％〜約７５％、好ましくは約７０％の深さを有し得る。例えば、例示的実施形態において、厚さ約２０マイクロメートル（０．０００８インチ）の透明又は透き通った配向ポリプロピレンフィルム及び厚さ約３０マイクロメートル（０．００１２インチ）の金属化配向ポリプロピレンフィルムからなる約５０マイクロメートル（０．００２０インチ）の全厚さを有する積層パッケージフィルムでは、切り込み線６４は約３５マイクロメートル（０．００１４インチ）の深さを有し得る。積層フィルムの場合、切り込み線６４は内部層にあるのが好ましいが、外部層にあっても、又は一方の層を完全に貫通し、かつ次の層内に部分的に及んで延在してもよい。
【００４４】
ブランク７９から作られる再閉鎖可能パッケージ７８の第２の実施形態が図７〜図９に示されており、該パッケージは、食料品又は他のパッケージ内容物が該パッケージから逐次取り出される間、ユーザーがパッケージ７８を繰り返し開封及び再閉鎖するのを可能にするように構成されている。この実施形態のパッケージ７８は、上述したパッケージ１０と似た多くの特徴部及び構造を有している。このため、異なる点について以下に述べる。
【００４５】
この形態のパッケージ７８は、開封の際に露出したパッケージの封止ゾーンに当接して完全に再密封させることができる開封特徴部８０を提供する。上記実施形態と同様に、パッケージは、パッケージの前壁部１４にわたって横断して延在する折りひだ又は折り畳み領域２８を有する。
【００４６】
この形態の開封特徴部８０は、ウェブ１２内に形成され、ユーザーが掴むための末端部分８４を備えているフラップ８２を有する。１つのアプローチによれば、末端部分８４は掴み用タブ又は掴み部分であり得る。フラップ８２は、パッケージ内部２４に通じる開口部８６を出現させるために、ウェブ１２の隣接部分から分離され、引き戻されるように構成されている。より詳細には、開封特徴部８０は、ウェブ１２内の線８８、又は線の組み合わせによって画定される。線８８は、全体的に折り畳み封止領域５０及び側部シール部２０内に形成される。線８８は、掴み用タブ８４の最下部又は先端部８５を画定する切れ目９０を含む。切り込み線又は切れ目９２は、切れ目９０の端部から折りひだ部分３０を横切って長手方向シール部の縁部部分４６まで延在する。図に示されるように、一実施形態では、各線９２は、切れ目９０から延びるそれらの長さの少なくとも一部の間で、開口方向に延びていてもよい。上述のように、こうすることで、線９２から逸脱する望ましくない引き裂きを最小限に抑える確実な開封性能が提供される。線９２は、上部折り畳み縁部２２の手前で終端してもよく、又は上部折り畳み縁部２２までずっと延出しもよい。更なるアプローチでは、線９２は、上部折り畳み縁部２２を越えて後壁部分１６上まで延在してもよい。更に、線９２の端部９４は、図のような牧杖又は他の好適な形体のような引き裂き制限特徴部を有することができる。図に示されるように、引き裂き制限特徴部は、側部シール部２０内部に完全に配設されることもできる。線８８は、パッケージ７８を作る前に、例えば、レーザー、ロータリーダイ、又はダイなどの任意の好適な機構によって形成され得る。
【００４７】
そのような構成にすることで、図１０に示されるように一連の折り目及びシール部を形成することによってパッケージ１０、７８を作ることができる（１００）。より詳細には、ブランク３８を上部折り畳み縁部２２に沿って折り畳み（１０２）、該ブランクを前壁部１４と後壁部１６に分割することができる。底部折りひだ部分３２が上部折りひだ部分３０の後側に延在するように、上部折り線３４を中心にして底部折りひだ部分３２を旋回させることができる（１０４）。切れ目６０、９０があることにより、掴み用タブ５６、８４の先端部６１、８５は底部折りひだ部分３２に付着しなくなり、このためそれらと共に折り畳まれない。このため、掴み用タブ５６、８４の先端部６１、８５は、折りひだ２８から上部折り線３４を越えて下向きに突出し、これにより、ユーザーが掴み用タブ５６、８４を容易に把持ことができるようになっている。次に、前壁部１４の下部３７が底部折りひだ部分３２から下向きに延び、ブランク２８の横断方向端縁部４２が略位置合わせされるように、底部折り線３６を中心にして前壁部１４を旋回させる（１０６）。このように組み立てられると、封止領域４４が全て位置合わせされ、任意の好適な工程によって側部、底部、及び折りひだシール部２０、２２、２８を形成することができる（１０８）。
【００４８】
このように形成されたら、次に、図１に示されるようなパッケージ１０、７８を使用して、食料品２６を運搬、陳列、及び貯蔵することができる。食料品２６の一部が望まれる場合、図２及び図８に示すように、開封特徴部５２、８０を介してパッケージ１０を開封することができる。掴み用タブ５６、８４の先端部６１、８５は折りひだ２８よりも下方に突出しているので、これらを掴むことができる。次に、ユーザーは、掴み用タブ５６、８４を折りひだ２８及びパッケージの前壁部１４から離れる方向に略上方に操作する。掴み用タブ５６、８４が引っ張られると、線６４、９２を分離させる力が加わる。切り込み線を有する実施形態では、力は、切れ目６０、９０の端部６２において切り込み線６４、９２に加わり、切り込み線６４、９２は、有利には、パッケージ１０、７８を開封する際に破断するように設計される。十分な力が加わることで、切り込み線６４、９２は破断し、パッケージ１０、７８の開口部を誘導する。掴み用タブ５６、８４を続けて引き離すにつれて、切り込み線６４、９２の第１、第２、及び第３の部分６８、７０、７２が破断してゆき、フラップ５４、８２がパッケージの前壁部１２から離れる方向に引っ張られる。切り込み線６４、９２のフック状端部６６、９４がパッケージ１０を横切る引き裂きを阻止するので、制御された開封がもたらされる。例示した形態では、フック状端部６６、９４はパッケージの後壁部１６上に設けられているので、フラップ５４、８２を引っ張ることによってパッケージ１０、７８を開封すると、前壁部１４及び上部折り畳み縁部２２を介してパッケージ内部２４に通じる開口部５８が出現し、前面及び上部からの食料品２６へのアクセスが所望通りに与えられる。
【００４９】
図２に示すように、掴み用タブ５６、８４及びフラップ５４、８２をパッケージの前壁部１２から引き離した後、折りひだ２８内の掴み用タブ５６、８４が除去された場所に代替領域９５が出現する。代替領域９５及び掴み用タブ５６、８４の裏面の一方又は両方は、折りひだシール部２８を形成したことにより、その上に接着剤を有している。パッケージ１０、７８を開封した結果露出した接着剤は、所望の内容物２６を取り出した後でパッケージ１０、７８を再閉鎖するために好都合に利用することができる。
【００５０】
パッケージ１０、７８はまた、パッケージの前壁部１４から離れる方向への旋回に抵抗するように折りひだ２８がパッケージ１０、７８に封止されるように構成され得る。第１のアプローチによれば、図５及び図６に示されるように、ブランク２８は、底部折りひだ部分３２の側方外側部分９７の第１の穴９６と、前壁部１４の残りの下部３７の側方外側部分９９の第２の穴９８とを有し得る。開口部穴は、パッケージ１０、７８が所定の封止位置へ折り畳まれた後、穴９６、９８が位置合わせするように配設される。このため、穴９６、９８は、上部折りひだ部分３０と後壁部１６との間に開いた経路（clear  path）を提供する。更に、側方外側部分９７、９９は、折りひだシール部２８が穴９６、９８の一方の側にあり、側部シール部２０が穴９６、９８の反対側にあるように対応付けられる。そのように構成することで、パッケージ１０、７８が封止されたときに、上部折りひだ部分３０が後壁部１６に封止され、折りひだ２８は、前壁部１４から離れる方向に旋回しないように制限される。代替え方法として、接着剤又は他の好適な封止機構を、上部折りひだ部分３０と底部折りひだ部分３２との間に配設してもよい。
【００５１】
パッケージの実施形態は底部シール部１８を有して示されているが、本明細書に記載されるパッケージは、代替えとして、上部シール部と底部折り畳み縁部とを有してもよい。更なるアプローチでは、本明細書に記載されるパッケージは、上部及び底部折り畳み縁部と共に、後壁部に沿ってフィンシール部を有してもよい。
【００５２】
図１１〜図１６を参照して本明細書に記載される別のパッケージ２００は、開封特徴部２０２を有する。パッケージ２００は、第１の端部シール部２０４と、第２の端部シール部２０６と、それらの間に延在する長手方向又はフィンシール部２０８とを備える。したがって、パッケージ２００は、パッケージ内部２１４及び内部に配置される内容物２１６を取り囲む前壁部分２１０と後壁部分２１２とを備える。
【００５３】
図１５及び図１６に示されるように、パッケージ２００はブランク２１７から形成され得る。ブランク２１７は、単一の材料片であってもよく、又は材料のウェブから所望通りに個別化されてもよい。図に示されるように、ブランク２１７は、長手方向側縁部２１８と横断方向端縁部２２０とを含む。ブランクの、側縁部２１８に沿った部分を利用して長手方向シール部２０８を形成する一方、ブランクの、端縁部に沿った部分を利用して第１及び第２の端部シール部２０４、２０６を形成する。
【００５４】
開封特徴部２０２は、パッケージ２００を横切って延在するストリップ２２２を備えている。図に示されるように、ストリップ２２２の一方の端部２２４は、側縁部２１８の一方と交わり、ストリップ２２２のもう一方の端部２２６は、もう一方の側縁部２１８から離間配置される。ストリップ２２２は、切れ目と切り込み線との組み合わせによって画定される。側縁部２１８から離間配置されるストリップ２２２の端部２２６は、タブ２２８を形成する切れ目２２７によって画定される。パッケージ２００を形成する際に、ブランクの側縁部２１８を含む長手方向縁部部分２３０は折り線２３２で折り返される。切れ目２２７は長手方向縁部部分２３０内に配設され、これにより、縁部部分２３０が折り返されたときに、タブ２２８が折り線２３２を越えて突出するようになっている。所望の場合には、長手方向縁部部分２３０は、折り返された後でブランク２１６に封止又は接着されてもよい。ストリップ２２２の残りの部分は、切れ目２２４の端部２３６から反対側の側縁部２１８までブランク２１６を横切って延在する切り込み線２３４を有する。切り込み線２３４は、略平行な線、対向する湾曲部分を有する線、曲線を成す線等を含む任意の所望の形状を取ることができる。
【００５５】
次に、長手方向シール部２０８を形成することができる。したがって、側縁部２１８は概ね一体に接合され得る。図１３及び図１４に示すように、折り線２３２は、その上に折り返された長手方向縁部部分２３０と共に、長手方向シール部２０８の外縁を形成する。側縁部２１８は、長手方向シール部２０８の片側で互いに当接する又は隣接して延在する。この構成では、タブ２２８は、ユーザーが容易に把持することができるように、長手方向シール部２０８から外向きに突出する。長手方向シール部２０８は、図１３に示すように、パッケージの後壁部分２１２に沿ってほぼ中心に配設されてもよく、又は図１４に示すように、タブ２２８がパッケージの縁部と位置合わせされるか又は該縁部を越えて延在するように中心からずれてもよい。
【００５６】
そのように構成することで、パッケージ内容物２１６へのアクセスが望まれるときに、ユーザーはタブ２２８を把持してストリップ２２２を剥がすことができる。力が加わることで、切り込み線２３４は、パッケージ２００の幅に沿って破断する。このように、開封特徴部２０２を使用して、例えば、パッケージ２００の端部２３８を取り外すことができる。
【００５７】
図面及び上述の説明は、構造の詳細に関してパッケージの唯一の形態を示すことを意図するものではない。情況が適宜であることが示唆され、又は適宜であり得るのであれば、形体及び部品の大きさの変更、並びに均等物での置換が企図される。例えば、パッケージは、上部折り畳み縁部と底部シール部とを有して示されているが、代替方法として、パッケージは、底部折り畳み縁部と上部シール部とを有して形成されてもよい。更に、パッケージは、上部折り畳み縁部と底部折り畳み縁部とを有して形成されてもよく、また、後壁部に沿って延在するフィン又は長手方向シール部を有してもよい。
【図１】
0006653018.tif 000002
【図２】
0006653018.tif 000003
【図３】
0006653018.tif 000004
【図４】
0006653018.tif 000005
【図５】
0006653018.tif 000006
【図６】
0006653018.tif 000007
【図７】
0006653018.tif 000008
【図８】
0006653018.tif 000009
【図９】
0006653018.tif 000010
【図１０】
0006653018.tif 000011
【図１１】
0006653018.tif 000012
【図１２】
0006653018.tif 000013
【図１３】
0006653018.tif 000014
【図１４】
0006653018.tif 000015
【図１５】
0006653018.tif 000016
【図１６】
0006653018.tif 000017